(57)【要約】【課題】高速伝送と光受信器設置に関する柔軟性を両立することのできる光空間伝送装置を提供すること。【解決手段】光源制御部１０４は制御信号１５に従いｎの出力ポートのいずれか１ポートから変調信号１４を切替え出力し、点光源１０１ａ〜１０１ｇは対応ポートからの出力信号を光信号１１ａ〜１１ｇに変換し出力し、光結合部１０２は光信号を空間へ送出すると共に、各光信号が当該空間上においてそれぞれ照射する領域１３ａ〜１３ｇが互いに隣接しかつ異なるように、光路を調整する。光受信部１０３は照射領域１３ａ〜１３ｇによって構成される照射範囲１３の中に配置され、光信号１１ａ〜１１ｇのいずれかを入力して、電気信号（変調信号）１４’に変換し出力する。さらに光源制御部１０４は光信号１１ａ〜１１ｇが照射領域を順次走査するように、点光源に対する出力信号を切替える。【選択図】図１
2006333188.tif 000002
【特許請求の範囲】
【請求項１】
光送信部と光受信部からなる光伝送装置であって、
前記光送信部は、
変調信号と制御信号を入力し、前記制御信号に従い、前記変調信号を複数ｎ（ｎは、２以上の整数）の出力ポートの内いずれかのポートから選択出力する光源駆動部と、
前記光源駆動部のｎの出力ポートに対応して設けられ、出力信号をそれぞれ光信号に変換して出力するｎの光源からなる発光部とを備え、
前記光受信部は、
前記発光部のｎの光源から出力される光信号のいずれかを入力して、電気信号に変換して出力する光検波部を備える光空間伝送装置。
【請求項２】
前記光送信部から出力される光信号は、所定の時間、所定の手順で、所望の空間的な範囲を走査する請求項１記載の光空間伝送装置。
【請求項３】
前記光送信部から出力される光信号は、前記光受信部から出力される電気信号のレベルが最大となる状態、または信号品質が最良となる状態で走査を停止する請求項２記載の光空間伝送装置。
【請求項４】
前記ｎの光源から出力される光信号は、いずれも光送信部が備える同一の開口部を介して出力される請求項１または２記載の光空間伝送装置。
【請求項５】
前記ｎの光源から出力される光信号は、互いに異なる空間的な範囲を照射する請求項１または２記載の光空間伝送装置。
【請求項６】
前記ｎの光源から出力される光信号は、互いに隣接する空間的な領域を照射する請求項１または２記載の光空間伝送装置。
【請求項７】
前記ｎの光源は、同一平面上に互いに隣接して配置される請求項１〜６いずれかに記載の光空間伝送装置。
【請求項８】
前記ｎの光源は、凹面上に互いに隣接して配置される請求項１〜６いずれかに記載の光空間伝送装置。
【請求項９】
前記光源駆動部のｎの出力ポートと前記ｎの光源との間に挿入され、前記光源駆動部から出力されるすべてまたは一部の注入電流に対して所定の遅延時間をそれぞれ付加するｍ（ｍは、ｎ以下の整数）の遅延調整部をさらに備える請求項１〜６いずれかに記載の光空間伝送装置。
【請求項１０】
光送信部と光受信部からなる光伝送装置であって、
前記光送信部は、
変調信号と制御信号を入力し、前記制御信号に従い、前記変調信号をｎの出力ポートの内いずれかのポートから選択出力する光源駆動部と、
前記光源駆動部のｎ出力ポートから出力されるすべてまたは一部の注入電流に対して所定の遅延時間をそれぞれ付加するｍの遅延調整部と、
前記光源駆動部のｎの出力ポートに対応して設けられ、出力信号もしくは前記ｍの遅延調整部からの出力信号を入力し、照射領域が互いに重なる拡散型の光信号に変換して出力するｎの拡散光源からなる発光部とを備え、
前記光受信部は、
前記発光部のｎの拡散光源から出力される光信号のいずれかを入力して、電気信号に変換して出力する光検波部を備え、
前記遅延調整部は、前記ｎの拡散光源から出力される光信号の照射領域で形成される全照射範囲内の所定の領域において、複数の光信号の位相が整合するように、前記遅延時間を調整する光空間伝送装置。
【請求項１１】
前記ｎの拡散光源は、マルチモード光源である請求項１０記載の光空間伝送装置。
【請求項１２】
前記マルチモード光源は、ＬＥＤ（Ｌｉｇｈｔ  Ｅｍｉｓｓｉｏｎ  Ｄｉｏｄｅ）である請求項１１記載の光空間伝送装置。
【発明の詳細な説明】
【技術分野】
【０００１】
本発明は、光を自由空間に放射し無線通信を行う上において、人間の視覚に対する危険性を抑圧しながら、光伝送装置の設定精度を緩和しつつ、高速伝送を行う光空間伝送装置に関する。
【背景技術】
【０００２】
図５は、従来の光空間伝送装置の構成を示したブロック図である（例えば、特許文献１参照）。図５において、本光空間伝送装置は、光送信部５００と、光受信部５０３とを備え、光源５０１と、光結合部５０２とで光送信部５００を構成し、光検波部５０３ａで、光受信部５０３を構成する。
【０００３】
上記のように構成された光空間伝送装置について、図５を用いて、その動作を説明する。光送信部５００は、変調信号５４を入力し、所定のバイアス値（バイアス電流）を付加した後光源５０１に入力して、例えば直接光強度変調方式により光信号５１に変換し出力する。光結合部５０２はレンズ等の光学部品で構成され、光信号５１の光路を調整して所定の範囲５３を照射する。光受信部５０３（光検波部５０３ａ）は、光照射範囲５３の中に配置されて、前記光信号５１の少なくとも一部の電力を入力して、電気信号５４’に変換し出力する。
【０００４】
ここで、本構成のような光空間伝送装置では、光送信部５００から送出される光信号５１が、人間の目に入射して網膜を焼き、傷害を起こす可能性がある。そのため、例えば国内では、総務省下の社団法人・電波産業会（ＡＲＩＢ）によって空間への放射光電力が制限／規定されており、例えば、光送信部５００の光出射端面５００ａから所定の距離Ｄｅｙｅを隔てた所定の範囲５０を照射する総光電力Ｐｔｏｔａｌが所定値以下になるように定められている。
【０００５】
一方、光伝送システムでは光受信器（光検波素子）に入力する光電力が大きい程、受信信号品質（ＳＮＲ）を高めて、より高速な伝送を行うことができる。このため、図５のように、光源５０１から出力された光信号が拡散する場合、光検波部５０３ａに入力する総光電力が低下するため、高いＳＮＲを確保することが難しく、伝送レートを高めることができない。従って、実際の光空間伝送装置では、光源５０１からの出力光信号を光結合部５０２で集光し（５１ａ）、光信号を拡散することなく送出する。これにより、光源５０１から出力された光信号の全電力が、光検波部５０３ａに入力するようにし、受信信号のＳＮＲを高めて高速伝送を可能としている。
【０００６】
以上のように、点光源もしくは集光を用いる光空間伝送装置では、アイセーフティを考慮して放射光電力が制限される中、所望の受信信号品質を確保するために、光信号の照射範囲を狭めて、高速な光伝送を可能とする。しかしながら、光信号の照射範囲を小さくすることに起因して、光受信器の設置に関して高い精度を要求し、無線伝送装置／端末としての柔軟性が低下するという課題を有している。
【０００７】
図６は、従来の光空間伝送装置の別の構成を示したブロック図である（例えば、特許文献２参照）。図６において、本光空間伝送装置は、光送信部６００と、光受信部６０３とを備え、光源６０１と光結合部６０２とで光送信部６００を構成し、光検波部５０３ａで、光受信部５０３を構成する。
【０００８】
上記のように構成された光空間伝送装置について、図６を用いて、その動作を説明する。光送信部６００は、変調信号６４を入力し、所定のバイアス値を付加した後、光源６０１に注入する。光源６０１は、例えば複数の発光素子６０１ａ〜６０１ｇからなる面光源であり、変調信号６４により一斉に明滅して光信号６１を出力する。光源６０１から出力された光信号は所定の角度で拡散し、少なくとも一部は光結合部６０２によって当該光路を調整され、所定の範囲６３を照射する。光受信部６０３（光検波部６０３ａ）は、照射範囲６３の中に配置されて、光信号６１の一部電力を入力して、電気信号６４’に変換し出力する。
【０００９】
本構成のような光空間伝送装置では、図５の場合に比べて、光信号の拡散角を大きくして、光信号を受信することのできる照射範囲６３をより広く確保し、光受信部６０３の設置に関する柔軟性を向上することができる。なお、本構成においても、図５の場合と同様、アイセーフティの観点から、光送信部６００の光出射端面６００ａから所定の距離Ｄｅｙｅを隔てた所定の範囲６０を照射する総光電力Ｓｔｏｔａｌが制限されているが、光源を見た場合の人間の視野角を考慮して、図５における総光電力Ｐｔｏｔａｌよりも大きい値が許容されている。
【００１０】
以上のように、面光源もしくは拡散光を用いる光空間伝送装置では、光送信器の放射光電力制限を緩和すると共に、広範な範囲に光信号を照射して、より柔軟な光伝送を可能とする。しかしながら、光信号の拡散角が大きいことに起因して、光受信器が受信することのできる総光電力は、図５の場合に比べて小さく、伝送レートの高速化が難しいという課題を有している。
【特許文献１】特開平１−１９２２３３号公報
【特許文献２】特開平９−１６７９９６号公報
【発明の開示】
【発明が解決しようとする課題】
【００１１】
以上のように、従来の光空間伝送装置は、点光源を用いた構成では、光信号の照射範囲を狭めて受光電力を高め、高速伝送を実現できる一方で、光受信器の設置に高い精度を必要とし、面光源を用いた構成においては、光信号の照射範囲を大きくして光受信器の柔軟な設置を可能とするが、受光電力が低下して、伝送レートが制限されるという課題を有している。
【００１２】
それ故に、本発明の目的は、高速伝送と光受信器設置に関する柔軟性を両立することのできる光空間伝送装置を提供することである。
【課題を解決するための手段】
【００１３】
第１の発明は、光送信部と光受信部からなる光伝送装置であって、光送信部は、変調信号と制御信号を入力し、制御信号に従い、変調信号を複数ｎ（ｎは、２以上の整数）の出力ポートの内いずれかのポートから選択出力する光源駆動部と、光源駆動部のｎの出力ポートに対応して設けられ、当該出力信号をそれぞれ光信号に変換して出力するｎの光源からなる発光部とを備え、光受信部は、発光部のｎの光源から出力される光信号のいずれかを入力して、電気信号に変換して出力する光検波部を備える。
【００１４】
第２の発明は、前記第１の発明において、光送信部から出力される光信号が、所定の時間、所定の手順で、所望の空間的な範囲を走査する。
【００１５】
第３の発明は、前記第２の発明において、光送信部から出力される光信号が、光受信部から出力される電気信号のレベルが最大となる状態、または当該信号品質が最良となる状態で走査を停止する。
【００１６】
第４の発明は、前記第１および第２の発明において、ｎの光源から出力される光信号が、いずれも光送信部が備える同一の開口部を介して出力される。
【００１７】
第５の発明は、前記第１および第２の発明において、ｎの光源から出力される光信号が、互いに異なる空間的な範囲を照射する。
【００１８】
第６の発明は、前記第１および第２の発明において、ｎの光源から出力される光信号が、互いに隣接する空間的な領域を照射する。
【００１９】
第７の発明は、前記第１〜第６の発明において、ｎの光源が、同一平面上に互いに隣接して配置される。
【００２０】
第８の発明は、前記第１〜第６の発明において、ｎの光源が、凹面上に互いに隣接して配置される。
【００２１】
第９の発明は、前記第１〜第６の発明において、光源駆動部のｎの出力ポートとｎの光源との間に挿入され、光源駆動部から出力されるすべてまたは一部の注入電流に対して所定の遅延時間をそれぞれ付加するｍ（ｍは、ｎ以下の整数）の遅延調整部をさらに備える。
【００２２】
第１０の発明は、光送信部と光受信部からなる光伝送装置であって、光送信部は、変調信号と制御信号を入力し、制御信号に従い変調信号をｎの出力ポートの内いずれかのポートから選択出力する光源駆動部と、光源駆動部のｎ出力ポートから出力されるすべてまたは一部の注入電流に対して所定の遅延時間をそれぞれ付加するｍの遅延調整部と、光源駆動部のｎの出力ポートに対応して設けられ、当該出力信号もしくはｍの遅延調整部からの出力信号を入力し、当該照射領域が互いに重なる拡散型の光信号に変換して出力するｎの拡散光源からなる発光部とを備え、光受信部は、発光部のｎの拡散光源から出力される光信号のいずれかを入力して、電気信号に変換して出力する光検波部を備え、遅延調整部は、ｎの拡散光源から出力される光信号の照射領域で形成される全照射範囲内の所定の領域において、複数の光信号の位相が整合するように、前記遅延時間を調整する。
【００２３】
第１１の発明は、前記第１０の発明において、ｎの拡散光源が、マルチモード光源である。
【００２４】
第１２の発明は、前記第１１の発明において、マルチモード光源が、ＬＥＤ（Ｌｉｇｈｔ  Ｅｍｉｓｓｉｏｎ  Ｄｉｏｄｅ）である。
【発明の効果】
【００２５】
上記第１の発明では、複数の光源の内いずれかを発光させ、当該いずれかの光信号を受信することにより、光受信部の設置精度を緩和して、柔軟性に優れた光空間伝送装置を提供する。
【００２６】
上記第２の発明では、複数の光源を切替え発光させることにより、光信号を空間的に走査し実質的な照射範囲を拡大して、光受信部の設置精度を緩和して、柔軟性に優れた光空間伝送装置を提供する。
【００２７】
上記第３の発明では、複数の光源を切替え発光させて光信号を空間的に走査すると共に、光受信部の電気信号品質が最大となる状態で当該走査を停止させることによって、光受信部の設置精度を緩和しながら、高速伝送を可能とする光空間伝送装置を提供する。
【００２８】
上記第４、第５および第６の発明では、光信号をより効率的に走査することによって、光受信部の設置精度を緩和しながら、光送信部に用いる光源の数を最適化して、より簡易な構造の光空間伝送装置を提供する。
【００２９】
上記第７および第８の発明では、光送信部に用いる光源の数を最適化すると共に、光受信部が複数の光源から出力された光信号を同時に受信した場合においても、信号品質劣化を抑圧して、高品質の光空間伝送装置を提供する。
【００３０】
上記第９の発明では、光受信部が複数の光源から出力された光信号を同時に受信した場合においても、効果的に信号品質劣化を抑圧して、より高品質の光空間伝送装置を提供する。
【００３１】
上記第１０の発明では、複数の拡散光源を発光させ、当該変調信号の位相を調整することにより、空間上の所定の領域における受信信号レベルを高めて、光受信部の設置場所に柔軟に対応できる高品質の光空間伝送装置を提供する。
【００３２】
上記第１１および第１２の発明では、光送信部に、可干渉性の低い光源を用いることにより、光受信部が複数の光源から出力された光信号を同時に受信した場合においても、信号品質劣化を抑圧して、より高品質の光空間伝送装置を提供する。
【発明を実施するための最良の形態】
【００３３】
（実施の形態１）
本発明の実施の形態１に係る光空間伝送装置について、図１にその構成を示すと共に、以下に説明する。図１において、本実施形態の光空間伝送装置は、発光部１０１と、光結合部１０２と、光受信部１０３と、光源制御部１０４とを備えている。なお、発光部１０１は、複数ｎ（図１では、ｎ＝７）の点光源１０１ａ〜１０１ｇで構成され、発光部１０１と、光結合部１０２と、光源制御部１０４とで光送信部１００を構成する。また、光受信部１０３は、光検波部１０３ａで構成される。
【００３４】
次に、図１に示す本実施形態の動作を説明する。光源制御部１０４は、ｎの点光源１０１ａ〜１０１ｇに対応したｎの出力ポートを有し、制御信号１５に従っていずれか１ポートを選択し、当該ポートから、入力する変調信号１４に所定のバイアス値（バイアス電流）を付加し出力する。点光源１０１ａ〜１０１ｇは、光源制御部１０４のｎの出力ポートの内、対応するポートからの出力信号をそれぞれ入力して、光信号１１ａ〜１１ｇに変換し出力する。光結合部１０２は、レンズ等で構成され、光信号１１ａ〜１１ｇを、光送信部１００の光出射端面１００ａを介して空間へ送出すると共に、光信号１１ａ〜１１ｇが当該空間上においてそれぞれ照射する領域１３ａ〜１３ｇが互いに隣接しかつ異なるように、当該光路を調整する。光受信部１０３（光検波部１０３ａ）は、光信号１１ａ〜１１ｇの照射領域１３ａ〜１３ｇによって構成される照射範囲１３の中に配置され、光信号１１ａ〜１１ｇのいずれかを入力して、電気信号（変調信号）１４’に変換し出力する。
【００３５】
ここで、光源制御部１０４は、光信号１１ａ〜１１ｇが照射領域１３ａ〜１３ｇを順次走査するように（例えば、図１では、１３ａ−＞１３ｂ−＞１３ｃ−＞１３ｄ−＞１３ｅ−＞１３ｆ−＞１３ｇ−＞１３ａ−＞・・・の順）、点光源１０１ａ〜１０１ｇに対する出力信号を切替え、瞬時的には、光信号１１ａ〜１１ｇの内いずれか一つが当該照射領域を照射し、かつ長期的には、光信号１１ａ〜１１ｇが、照射範囲１３を隈なく照射するように制御する。これにより、図５と同様に、光信号を集光して、当該照射領域に向け高い光電力を送出して、受信信号のＳＮＲを高め高速伝送を行うと共に、擬似的には、図６と同様に、光信号を拡散して当該照射範囲を拡大し、光受信器の設置精度を緩和する。なお、光送信部１００からの送出電力に関しては、図５に準じて、光信号１１ａ〜１１ｇが、光出射端面１００ａから所定の距離Ｄｅｙｅを隔てた所定の範囲１０を照射する各光電力Ｐｔｏｔａｌが、それぞれ所定値以下になるように定められ、その結果、伝送レートは、図５と同等の性能が得られる。
【００３６】
さらに、光受信部１０３から出力される電気信号１４’の品質をモニタできる場合は、光源制御部１０４は、モニタ情報に基づいて、当該信号品質が最大となる状態で光信号の走査を停止し、当該照射領域を固定する。これにより、光信号の走査／切替え時間に起因する実効的な伝送レートの低下を防ぎ、より高速な光空間伝送を行う。なお、具体的なモニタ手段としては、受信信号のＳＮＲを検出し、当該ＳＮＲ値を電気無線信号等に変換して、光送信部１００に伝達する構成等が想定される。
【００３７】
次に、本実施形態に関する別の構成について、図２にその構成を示し、説明する。図２は、図１の点光源１０１ａ〜１０１ｇの物理的な配置を変更したもので、当該点光源１０１ａ〜１０１ｇで、発光部２０１を構成する。本構成において、点光源１０１ａ〜１０１ｇは、図１と同様に、光源制御部１０４から切替え出力される信号を入力して、光信号に変換し出力する。ここで、点光源１０１ａ〜１０１ｇは、当該光信号を出力する方向に対して凹面状に配置される。これにより、例えば、図２に示すように、光受信部１０３が複数の光信号の照射領域（図２では、１３ｂおよび１３ｃ）に跨って設置され、その結果として、複数の光信号成分（図２では、１１ｂおよび１１ｃ）が同時に光検波部１０３ａに入力した場合においても、両光信号間のスキュー（位相ずれ）を軽減して、より高品質な波形伝送を行う。
【００３８】
なお、上記第１の実施形態（図１および図２）では、点光源１０１ａ〜１０１ｇを１次元的（線状）に配置した状態を図示したが、原理的にはいかなる配置でも良く、例えば、２次元的（面状）に配置しても良い。また、点光源の数ｎも、７以外のいかなる複数であっても良い。
【００３９】
以上説明したように、第１の発明によれば、複数の点光源を順次切替え発光させ、空間上の所定の範囲を面的に走査するように照射することにより、高い伝送信号品質を確保しながら、光受信器の設置精度を緩和して、高速の光空間伝送装置を簡単な構成で提供することができる。
【００４０】
（実施の形態２）
本発明の実施の形態２に係る光伝送装置について、図３にその構成を示すと共に、以下に説明する。図３において、本実施形態の光空間伝送装置は、発光部１０１と、光結合部１０２と、光受信部１０３と、光源制御部１０４と、複数ｎ（図３では、ｎ＝７）の遅延制御部３０５ａ〜３０５ｇを備えており、図２の構成に対して、遅延調整部３０５ａ〜３０５ｇを新たに備える点が異なる。なお、発光部１０１は、ｎの点光源１０１ａ〜１０１ｇで構成され、発光部１０１と、光結合部１０２と、光源制御部１０４と、遅延調整部３０５ａ〜３０５ｇとで光送信部１００を構成する。また、光受信部１０３は、光検波部１０３ａで構成される。
【００４１】
次に、図３に示す本実施形態の動作を説明する。本実施例の構成は、前述の第１の実施例（図１）に準ずるため、同一の動作を行うブロックに関しては、同一の番号を付して、その説明を省略し、相違点のみを以下に説明する。その構成において、本実施例の光伝送装置は、遅延制御部３０５ａ〜３０５ｇが、光源制御部１０４のｎの出力ポートに対応して設けられ、対応するポートからの出力信号にそれぞれ所定の遅延量Ｄａ〜Ｄｇを付与し出力する。点光源１０１ａ〜１０１ｇは、遅延調整部３０５ａ〜３０５ｇからの出力信号をそれぞれ入力して、光信号１１ａ〜１１ｇに変換し出力する。
【００４２】
ここで、遅延調整部３０５ａ〜３０５ｇは、光受信部１０３に対して近い位置にある点光源への入力信号に対しては大きな遅延量を付与し、光受信部１０３に対して遠い位置にある点光源への入力信号に対しては小さな遅延量を付与する。これにより、例えば、図３に示すように、光受信部１０３が複数の光信号の照射領域（図３では、１３ｂおよび１３ｃ）に跨り設置され、その結果として、複数の光信号成分（図３では、１１ｂおよび１１ｃ）が同時に光検波部１０３ａに入力した場合においても、点光源１０１ｃに対して１０１ｄよりも大きな遅延量を与えて、両光信号間のスキュー（位相ずれ）を軽減し、高速伝送と光受信器の設置精度緩和を両立しながら、より高品質な波形伝送を行うことができる。
【００４３】
次に、本実施形態に関する別の構成について、図４にその構成を示し、説明する。図４は、図３の点光源１０１ａ〜１０１ｇを拡散光源４０１ａ〜４０１ｇに変更したもので、図４に示すように、各点光源からの出力光信号を拡散光とし当該照射領域が、空間上において互いに重なるようにする。また、遅延制御部３０５ａ〜３０５ｇは、光源制御部１０４の対応するポートからの出力信号にそれぞれ所定の遅延量Ｄａ〜Ｄｇを付与し出力する。これにより、各光信号が同相で重なり合う（光信号が互いに強めあう）空間的な領域、即ち光信号を効率的に受信できる領域を調整・制御することが可能となり、さらに前記遅延量を変更することで、当該受信領域を任意に変更することができる。即ち、発光部１０１からの出力光の出射方向／角度を擬似的に変更して、光受信部の設置位置に対し最適な出射方向を設定し、より高品質な波形伝送を効率的に行うことができる。
【００４４】
なお、図４では、光結合部を省略して示したが、図１〜図３と同様に、適宜挿入しても良い。
【００４５】
以上説明したように、第２の発明によれば、複数の点光源への入力信号の遅延量／位相を最適に設定、制御することにより、光受信器に複数の光信号が入力した際の信号品質劣化を防ぎ、あるいは、光受信器の位置に応じて、光信号の出射方向を擬似的に最適制御して、より高速かつより柔軟な光空間伝送装置を提供することができる。
【産業上の利用可能性】
【００４６】
本発明は、光を自由空間に放射し無線通信を行う上において、人間の視覚に対する危険性を抑圧しながら、高速伝送を行う光空間伝送技術に利用できる。
【図面の簡単な説明】
【００４７】
【図１】本発明の第１の実施形態に係る光空間伝送装置の構成を示すブロック図
【図２】本発明の第１の実施形態の別の構成に係る光空間伝送装置の構成を示すブロック図
【図３】本発明の第２の実施形態に係る光空間伝送装置の構成を示すブロック図
【図４】本発明の第２の実施形態の別の構成に係る光空間伝送装置の構成を示すブロック図
【図５】従来の光空間伝送装置の構成を示すブロック図
【図６】従来の光空間伝送装置の別の構成を示すブロック図
【符号の説明】
【００４８】
１００    光送信部
１０１    発光部
１０２    光結合部
１０３    光受信部
１０４    光源制御部
１０１ａ〜１０１ｇ    点光源
１１ａ〜１１ｇ    光信号
１４，１４’    変調信号
１５    制御信号
２００    光送信部
２０１    発光部
３０５ａ〜３０５ｇ    遅延調整部
４１ａ〜４１ｇ    光信号
【図１】
2006333188.tif 000003
【図２】
2006333188.tif 000004
【図３】
2006333188.tif 000005
【図４】
2006333188.tif 000006
【図５】
2006333188.tif 000007
【図６】
2006333188.tif 000008